(57)【要約】　　　（修正有）【解決手段】一種の電位、温熱をもつマットレスのコントローラの固定構造で、マットレス４の適切な位置に複数の位置決め孔を設け、その裏側には固定片６を設け、固定片は各位置決め孔に当たる場所に穴６１が開けられ、コントローラ５は表側に設けられ、ネジ固定部品７で固定片に開けられた穴とマットレスを貫いて、コントローラの下側に対応して設けられたネジ穴と結合する。【効果】コントローラは隨時任意にマットレスから取り外すことができ、マットレスの洗浄作業を行うことができ、コントローラの固定方式は、更にしっかりとしたものであり、外れたり、マットレスを破損させたりしにくく、同時にコントローラをマットレスの中間あたりに設置することができ、使用者の頭部がコントローラに接近しすぎて、電磁波の影響を受けることを避けることができる。【選択図】　　　　図２
0003099363.tif 000002
【実用新案登録請求の範囲】
【請求項１】
一種の電位、温熱をもつマットレスのコントローラの固定構造で、マットレス及びマットレスに固定したコントローラを含み、その特徴は、マットレスの中間あたり、または下端の裏面に固定片を設け、コントローラを固定片が対応するマットレスの表側に設け、ネジ固定部品で固定片及びマットレスを貫通させ、コントローラをマットレスに固く留めることである。
【考案の詳細な説明】
【技術分野】
【０００１】
　本考案の電位、温熱をもつマットレスのコントローラは、マットレスの中間あたりに設けられ、固定片でマットレス裏側に設けられ、ネジ固定部品で同時に固定片及びマットレスを貫通し、コントローラと結合して固定されているため、コントローラを簡単に取りつけたり取り外したりすることができ、マットレスの洗浄に便利である。
【背景技術】
【０００２】
　電位、温熱をもつマットレス構造は、図５、６、７が示す通りであり、マットレス本体１の内部の予め位置決めされた場所に、電位及び発熱を生み出すことができる線体１１を布設し、線体１１の末端をコントローラ２の中に繋ぎ、通常コントローラ２はマットレス本体１の上端の隅に設けられており、即わち事前にマットレス本体１１の角を切り落とし、縁１２を残し、縁１２には複数の穴１３を開け、穴１３に対応するコントローラ２にはネジ穴を設け、同時にコントローラ２の上下のケース２１、２２の間には互い違いの歯２３を設ける。
【０００３】
　よって、まずコントローラ２の上下もケース２１、２２によってマットレス本体１の縁１２を挟み、上下の歯２３を縁１２に嵌めこみ、ネジ固定部品３で上下のケース２１、２２を固く留め、上のケース２１、２２でしっかりと縁１２を噛みこみ、コントローラ２をマットレス本体１の角に固定する。しかしこのような構造設置方法には下記の欠点がある。
【０００４】
　１．マットレス本体１に固定したコントローラ２は、取り外す場合、その上下のケース２１、２２を分けて開らかなければならず、その内部の電子部品が散乱してしまう可能性があるため、コントローラ２は通常取り外すことはできないが、マットレス本体１が汚れた場合、コントローラ２を水中に浸すことができないため、マットレス本体１が洗浄できない、または洗浄することが困難になってしまう。
【０００５】
　２．上下のケース２１、２２だけでマットレス本体１の２つの縁１２を噛みこむと、その結合力には限りがあり、脱落しやすくなってしまう。
【０００６】
　３．マットレス本体１の上下のケース２１、２２できつく噛みこんだ縁１２は、歯２３が突き刺さっているため、縁１２の構造は破損しやすく、長期に使用すると緩み、当初のきつく噛みこむ作用を発揮できなくなり、コントローラ２が緩くなりやすくなり、最悪の場合、外れてしまう。
【０００７】
　４．コントローラ２の固定に便利なように、通常はマットレス本体１の上方の隅に設置されており、設置された位置が非常に使用者の頭部に近いため、コントローラの電源を入れて使用する際、電磁波を生み出し、使用者の頭部及び健康に影響を及ぼす。
【考案を実施するための最良の形態】
【０００８】
　よって、前述の周知の電位、温熱をもつマットレスのコントローラを改善するため、固定する際にマットレスを破損し、脱落する可能性があり、取り外しができないためにマットレスを洗浄できない等の欠点があり、本考案ではマットレスの中間あたりの裏側に固定片を設け、コントローラを固定片に対応するマットレスの表側に設け、ネジ固定部品で固定片及びマットレスを貫通させて、コントローラをマットレスに固く留めるため、コントローラを取り外したり取りつけたりする際、コントローラがばらばらになることはなく、コントローラの完全性を保つことができ、同時にコントローラを取り外すと、マットレスは洗浄作業を行うことができる。
【０００９】
　また、コントローラと固定片の間は面全体でマットレスが覆っている面全体を挟みこんでおり、マットレスの構造を破損しないだけでなく、コントローラの固定を更にしっかりしたものとし、緩んだり脱落したりしにくくなる。
【００１０】
　そして、マットレスにコントローラを取りつけた場合、いかなる部分も切り取られることがないだけでなく、簡単にマットレス中間あたりに設置することができ、このようにして使用者の頭部がコントローラに接近しすぎ、電磁波の影響を受けることを避けることができる。
【００１１】
　これによって、本考案は下記の実施例によって、添付図と合わせて、充分な理解を獲得することができ、これに基づいて実施することができる。
【実施例】
【００１２】
　図１、２、３が示す通り、本考案はマットレス４の中間あたりの表側に設けたコントローラ５を含み、コントローラ５に対応するマットレス４に開けた複数の位置決め孔４１、マットレス４の内部の電熱または電位の接線をここよりコントローラ５を固定したい面に貫通させ、コントローラ５の中に入れることができ、更にコントローラ５が対応するマットレス４の裏面に固定片６を設け、固定片６に穴６１を設け、ネジ固定部品７で固定片６及びマットレス４を貫通させて、ネジ固定部品７をコントローラ５の裏面に設けたネジ穴に取りつけ、コントローラ５をマットレス４に固定し、マットレス４をコントローラ５とマットレス４の間に挟みこむ。
【００１３】
　よって、マットレス４の完全性を保ち、マットレス４の構造を破損させない状況の下、コントローラ５と固定片６の間を、面全体でマットレス４が覆っている面全体を挟みこみ、コントローラ５を固定し、更にしっかりしたものとし、揺れたり脱落したりしにくくし、かつネジ固定部品７を簡単に取り外すだけで、簡単にコントローラ５をマットレス４から取り外すことができ、コントローラ５は分解する必要はないため、マットレス４を洗浄することができる。次に、マットレス４をコントローラ５に取りつける場合、マットレス４はいかなる部分も切り取られることがないだけでなく簡単にマットレス４の中間あたり、またはその他の適切な場所に設置することができ（図４の示すように、コントローラ５をマットレス４の下端に取りつけるなど）、使用者は更に操作制御がしやすくなることはなく、更に使用者の頭部がコントローラ５に接近しすぎて、電磁波を受けて健康に影響を及ぼすことを避ける。
【００１４】
　いずれにせよ、上述の実施例はすでに本考案についてよりよい具体化な開示と詳述を有しており、すべてこの技術に習熟した人の場合、はっきりと理解することができ、その行う各種の形状及び局部の変更は、すべて本考案の精神と範疇から乖離していない。
【図面の簡単な説明】
【００１５】
【図１】図１は、本考案の外観見取図である。
【図２】図２は、本考案の分解見取図である。
【図３】図３は、本考案の断面図である。
【図４】図４は、本考案のコントローラを別の場所に取りつける見取である。
【図５】図５は、周知の構造の全体の外観見取図である。
【図６】図６は、周知の構造の分解見取図である。
【図７】図７は、周知の構造の断面図である。
【符号の説明】
【００１６】
　４　　マットレス
　５　　コントローラ
　６　　固定片
　６１　穴
　７　　ネジ固定部品
【図１】
0003099363.tif 000003
【図２】
0003099363.tif 000004
【図３】
0003099363.tif 000005
【図４】
0003099363.tif 000006
【図５】
0003099363.tif 000007
【図６】
0003099363.tif 000008
【図７】
0003099363.tif 000009
【手続補正書】
【提出日】平成15年9月2日(2003.9.2)
【手続補正１】
【補正対象書類名】実用新案登録請求の範囲
【補正対象項目名】全文
【補正方法】変更
【補正の内容】
【実用新案登録請求の範囲】
【請求項１】
マットレスの中間あたり、または下端の裏面に固定片を設け、該マットレスの温熱を制御するコントローラを前記固定片に対応する前記マットレスの表側に設け、ネジ固定部品で前記固定片および前記マットレスを貫通させ、前記コントローラを前記マットレスに固く留めることを特徴とする温熱をもつマットレス。